(57)【特許請求の範囲】
【請求項１】
薄片を対向する２つの平ベルトの間に挟んで搬送する対向ベルト搬送機構により前記薄片を所定の搬送方向に搬送する搬送路を設けるとともに、前記搬送路を曲折させて前記搬送を行うようにした薄片搬送装置であって、
前記２つの平ベルトの途中箇所に曲折用ローラを設けることなく、一方の前記平ベルトのプーリ（以下、一方側プーリという）と、他方の前記平ベルトのプーリ（以下、他方側プーリという）とを、前記搬送方向において相対的にずらせるとともに、前記一方側プーリと前記他方側プーリとを前記搬送方向と交差する方向に相対的に偏移させるのみで、前記搬送路を曲折させることにより、前記薄片に対する前記平ベルトの挟圧力を増強する挟圧力増強手段
を具備することを特徴とする薄片搬送装置。
【請求項２】
前記対向ベルト搬送機構を前記搬送方向に沿って複数設けるとともに、前記偏移の方向を交互に反対方向にすることによって、前記搬送路を蛇行状に曲折させたことを特徴とする請求項１記載の薄片搬送装置。
【請求項３】
薄片を対向する２つの平ベルトの間に挟んで搬送する対向ベルト搬送機構により前記薄片を所定の搬送方向に搬送する搬送路を設けるとともに、前記搬送路を曲折させるための曲折用ローラを設けるようにした薄片搬送装置であって、
前記曲折用ローラの軸を前記搬送路の手前側で覆うとともに前記所定方向と反対方向に延長した部分を前記搬送路の外側に向けて湾曲させた案内片によって前記薄片を案内することにより、前記薄片の上下部分が前記軸に引っ掛かることを防止する引掛防止手段
を具備することを特徴とする薄片搬送装置。
【請求項４】
薄片を対向する２つの平ベルトの間に挟んで搬送する対向ベルト搬送機構により前記薄片を所定の搬送方向に搬送する搬送路を設けるとともに、前記搬送路を曲折させて前記搬送を行うようにした薄片搬送装置を設けたパチンコ台島装置であって、
前記平ベルトの幅の１／２程度に小さい幅をもち外周面に膨らみ部分をもつ曲折用ローラ、もしくは、前記平ベルトの幅と同程度の幅または前記平ベルトの幅よりも大きい幅をもち外周面が円錐台形状を背中合わせにした頂部を膨らみ部分とした曲折用ローラを、前記平ベルトの途中に配置するとともに、前記曲折用ローラを搬送方向と交差する方向に変移させることにより、前記平ベルトの幅の中央部分を前記膨らみ部分として「くの字状」に曲折させるとともに、前記搬送路の曲折を行わせることにより、前記薄片に対する前記平ベルトの挟圧力を増強する挟圧力増強手段
を具備することを特徴とするパチンコ台島装置。
【請求項５】
前記曲折用ローラを前記平ベルトの両側に交互に配置することによって、前記搬送路を蛇行状に曲折させたことを特徴とする請求項４記載のパチンコ台島装置。
【請求項６】
薄片を対向する２つの平ベルトの間に挟んで搬送する対向ベルト搬送機構により前記薄片を所定の搬送方向に搬送する搬送路を設けるとともに、前記搬送路を曲折させて前記搬送を行うようにした薄片搬送装置を設けたパチンコ台島装置であって、
前記２つの平ベルトの途中箇所に曲折用ローラを設けることなく、一方の前記平ベルトのプーリ（以下、一方側プーリという）と、他方の前記平ベルトのプーリ（以下、他方側プーリという）とを、前記搬送方向において相対的にずらせるとともに、前記一方側プーリと前記他方側プーリとを前記搬送方向と交差する方向に相対的に偏移させるのみで、前記搬送路を曲折させることにより、前記薄片に対する前記平ベルトの挟圧力を増強する挟圧力増強手段
を具備することを特徴とするパチンコ台島装置。
【請求項７】
前記対向ベルト搬送機構を前記搬送方向に沿って複数設けるとともに、前記偏移の方向を交互に反対方向にすることによって、前記搬送路を蛇行状に曲折させたことを特徴とする請求項６記載のパチンコ台島装置。
【請求項８】
薄片を対向する２つの平ベルトの間に挟んで搬送する対向ベルト搬送機構により前記薄片を所定の搬送方向に搬送する搬送路を設けるとともに、前記搬送路を曲折させるための曲折用ローラを設けるようにした薄片搬送装置を設けたパチンコ台島装置であって、
前記曲折用ローラの軸を前記搬送路の手前側で覆うとともに前記所定方向と反対方向に延長した部分を前記搬送路の外側に向けて湾曲させた案内片によって前記薄片を案内することにより、前記薄片の上下部分が前記軸に引っ掛かることを防止する引掛防止手段
を具備することを特徴とするパチンコ台島装置。
【発明の詳細な説明】
【０００１】
【発明の属する技術分野】
本発明は、複数の入口から入れ込まれた紙幣・伝票・カードなどのような薄片を所定の経路方向に搬送動する薄片搬送装置ならびに、その利用装置、例えば、複数台のパチンコ遊技機とその遊技球を貸付けるための紙幣・カードなどの薄片を搬送する薄片搬送装置を設けパチンコ台島装置などに関するものである。
【０００２】
【従来の技術】
この種の薄片搬送装置として、搬送する薄片１００を、例えば、紙幣とした薄片搬送装置３００をパチンコ台島装置５００に組み付けた構成として、図７〜図９のような構成（以下、第１従来技術という）が特開昭６４−２８１３８号・特開平８−４０５９３などに開示されている。
【０００３】
ここで、パチンコ遊技機、または、パチンコ遊技機のゲート部分に跳ね返し機能やスロットマシン機能を設けたパチンコ・スロット遊技機などの遊技機（この発明では、これらの遊技機を総称して、パチンコ台という）を、図７のように複数台配置して、１つのブロック状に構成したものをパチンコ台島装置５００という、このパチンコ台島装置５００は、パチンコ店の内部において、あたかも複数の「島」を配置したように見えるので、通称を「島」とも呼ばれている。
【０００４】
図７において、パチンコ台島５００には、複数台のパチンコ台Ｂを前列側と後列側とに分けて配置するとともに、パチンコ台Ｂ間の所要箇所に、薄片１００の導入搬送部分Ｃを配置してある。導入搬送部分Ｃは、パチンコ台Ｂに使用する遊技球、つまり、パチンコ玉を貸付けるための球貸装置（装置全体は図示せず）に薄片１００を入れ込んで主搬送路Ｍに送り込む部分であって、それ自体が副搬送路Ｓの一部を構成しているものである。
【０００５】
また、前列側のパチンコ台Ｂと後列側のパチンコ台Ｂとの間の空間部分に主搬送路Ｍを構成する主搬送路部分３００Ａを配置してあり、導入搬送部分Ｃの薄片入口から入れ込んだ薄片１００を導入搬送部分Ｃに設けた副搬送路Ｓによって主搬送路Ｍに送り込み、主搬送路部分３００Ａの主搬送路Ｍによって、主搬送路Ｍの終端に設けた収納箱１１０に薄片１００を収納するように構成した〔収納搬送形態〕のものであって、主搬送路部分３００Ａの具体的な構成は図８・図９のようになっている。なお、以下の各図において、太線の部分は、各部を構成する部材の肉厚の断面または端面を示す部分である。
【０００６】
図８・図９において、合流用の案内壁２３Ｘは、副搬送路Ｓから送り込まれる薄片１００を主搬送路Ｍに導くための湾曲状の経路を形成する２つの案内板２３Ｘ１・２３Ｘ２で構成してあり、その各先端側を案内壁２３Ｙの一端側に入れ込んである。
【０００７】
案内壁２３Ｙは、主搬送路Ｍの直線状の経路を形成する２つの案内板２３Ｙ１・２３Ｙ２で構成するとともに、案内壁２３Ｙの終端側を次順の副搬送路Ｓとの合流部分に設けた合流用の案内壁２３Ｘの部分まで延長してある。
【０００８】
案内壁２３Ｘ・２３Ｙは、図９のように、上下に分けて配置してあり、その中間に、主搬送路Ｍにおける搬送用の丸ベルト４５Ｘと、合流用のローラ２５Ｘ１・２５Ｘ２と従動用のローラ２５Ｘ３・２５Ｘ４などを設けてあって、一方のローラ２５Ｘ１に丸ベルト４５Ｘの駆動用プーリを兼ねさせるとともに、ローラ２５Ｘ１と対向配置した他方のローラ２５Ｘ２を丸ベルト４５Ｘの外周に接して回転させている。
【０００９】
丸ベルト４５Ｘは、断面が丸い無端ベルトであって、案内壁２３Ｙの始端側に設けたローラ２５Ｘ１と、案内壁２３Ｙの終端側に設けた従動用のローラ２５Ｘ３とに掛け張られており、丸ベルト４５Ｘの弛みを取って主搬送路Ｍに位置する部分を直線状に張るための張り車としてローラ２６Ｘ１・２６Ｘ２を設けてある。
【００１０】
主搬送路Ｍに位置する丸ベルト４５Ｘの中間部分には、薄片１００を搬送するのに適した間隔で、複数の対向配置した小さいローラ２５Ｙを配置し、その一方に丸ベルト４５Ｘの案内プーリを兼ねさせるとともに、従動用のローラ２５Ｘ３と対向して配置したローラ２５Ｘ４を丸ベルト４５Ｘの外周に接して回転させている。
【００１１】
そして、先順の副搬送路Ｓに位置する案内壁２３Ｘの案内板２３Ｘ１から後順の副搬送路Ｓに位置する案内壁２３Ｘの案内板２３Ｘ２にまでに亙る部分Ｚを、１つのブロック状に一体に組み付けた分割ユニット３００Ｂとして構成することにより、副数の分割ユニット３００Ｂを縦続配置して、主搬送路部分３００Ａを構成し得るようにしたものである。なお、各ローラ２５Ｘ１〜２５Ｘ４と丸ベルト４５Ｘは矢印で示す方向に回転するように、分割ユニット３００Ｂごとに設けた駆動モータ２６により、歯車機構２６Ａを介して、駆動用のプーリを兼ねるローラ２５Ｘ１を駆動している。
【００１２】
したがって、各副搬送路Ｓに入れ込まれた薄片１００は、先順側の分割ユニット３００Ｂの案内板２３Ｘ２と次順側の分割ユニット３００Ｂの案内板２３Ｘ１との間に入り、ローラ２５Ｘ１・２５Ｘ２によって主搬送路Ｍに送り込まれ、丸ベルト４５Ｘによって、案内壁２３Ｙの案内板２３Ｙ１・２３Ｙ２の間を搬送された後に、ローラ２５Ｘ３・２５Ｘ４によって次順の分割ユニット３００Ｂの合流部分に送り込まれるという経路を取って搬送されるようになっている。
【００１３】
そして、各構成部分の材質は、各ローラと平ベルトの部分が合成樹脂材、例えば、ウレタンゴム材、各軸の部分がステンレス鋼材、各軸の軸受部分を兼ねるフレーム、その他の構成部分などは主としてアルミニウム材を主体として構成してある。
【００１４】
ところで、上記の第１従来技術の構成では、先順の合流部分から後順の合流部分までの距離Ｌ１が異なった場合、例えば、パチンコ台Ｂの長さＬ２には、統一規格が無いので距離Ｌ１がパチンコ台Ｂによって異なると、その距離Ｌ１が異なった場合には、それに合わせて、その都度、異なる長さをもつ分割ユニット３００Ｂを製造しなければならないという不都合がある。
【００１５】
こうした不都合を解消するために、合流部分を構成するブロックと、各合流部分の間の主搬送路Ｍの部分を構成するブロックとに分けて構成した図１０〜図１２のような構成（以下、第２従来技術という）が本願出願人の出願にもとづく特開平８−９１６１５によって開示されている。
【００１６】
図１０〜図１２の構成は、図８の構成と同様に、装置の中間部分の構成のみを示したものであり、図１０〜図１２において、図８の構成と異なる主な構成箇所は、前後の各副搬送路Ｓと主搬送路Ｍとの合流部分のみを、独立した１つのブロック状に一体に構成した合流搬送ユニット２とし、各合流搬送ユニット２の間の主搬送路Ｍに相当する部分を中継搬送ユニット４として構成することにより、構造が最も簡単な中継搬送ユニット４の部分の長さＬ３のみを変更するだけで、各副搬送路Ｓの間の距離Ｌ１の変化に対応し得るようにした箇所である。
【００１７】
つまり、合流搬送ユニット２を各合流部分ごとに配置するとともに、図１０の〔ニ−ニ断面〕のように、各合流搬送ユニット２をその両側に配置した各導入搬送部分Ｃの内側外壁部分に、適宜の取付用部材、例えば、上下に配置したＺ字形の取付脚３２とねじ３２Ａとにより固定しておくとともに、図１１のように、各合流搬送ユニット２に対して、各中継搬送ユニット４を着脱可能な構造、例えば、中継搬送ユニット４を、合流搬送ユニット２から張り出して設けた受棚２ａ・２ｂで受け止めるとともに、ねじ２ａ１・２ｂ１によって固定する組付構造にしたものである。なお、この組付の際に、合流搬送ユニット２に設けた駆動モータ２６に連動する歯車２９Ｄと、プーリ４３Ｂの軸に設けた歯車４６ｂとが噛み合うように組み付けられる。
【００１８】
さらに、図１０〜図１２の具体的な細部の構成において、図８の具体的な細部の構成と異なる箇所は、図１１・図１０のように、第１には、導入搬送部分Ｃにおける副搬送路Ｓの部分と、中継搬送ユニット４における主搬送路Ｍの部分との搬送構造を、対向配置された同一速度で送行する２つの平ベルトの間に薄片１００を挟み込んで搬送する機構（この発明において、対向ベルト搬送機構という）によって構成した箇所である。
【００１９】
ここで、中継搬送ユニット４における対向ベルト搬送機構は、合流搬送ユニット４の底部に設けた駆動モータ２６により適宜の歯車機構２６Ａを介して回転させられる仲介歯車２９Ｄと連動する２つの歯車４６ａ・４６ｂの軸に設けた各駆動側プーリ４３Ａ・４３Ｂに、対向して配置した２つの無端状の平ベルト４５Ａ・４５Ｂ、つまり、無端状の平帯形状をしたベルトを掛けるとともに、この２つの平ベルト４５Ａ・４５Ｂにより従動される従動側プーリ４４Ａ・４４Ｂを次順の合流搬送ユニット２に近接した端部の位置に配置した構造にしてあり、２つの平ベルト４５Ａ・４５Ｂが対向している部分は、薄片１００が入り込む程度のごく僅かの隙間を設けるか、または、殆ど接触する状態にしたものである。
【００２０】
また、導入搬送部分Ｃにおける対向ベルト搬送機構は、導入搬送部分Ｃの内部に設けた上記の球貸装置（装置全体は図示せず）の駆動モータ（図示せず）によって駆動される駆動側プーリＣ１ａ・Ｃ１ｂを、薄片１００を入れ込むための薄片入口Ｃ１に近接した位置に配置し、この駆動用プーリＣ１ａ・Ｃ１ｂに、対向して配置した２つの無端状の平ベルトＣ３ａ・Ｃ３ｂを掛けるとともに、この２つの平ベルトＣ３ａ・Ｃ３ｂにより従動される従動側プーリＣ２ａ・Ｃ２ｂを薄片導出口Ｃ２に近接した位置に配置したものであり、中継搬送ユニット４における対向ベルト搬送機構と同様の搬送構造になっている。
【００２１】
そして、導入搬送部分Ｃの対向ベルト搬送機構は、薄片入口Ｃ１に設けた案内板Ｃ１Ａと、薄片１００を送出するための薄片導出口Ｃ２の部分を残して、適宜の保護覆Ｃ３で囲んであり、また、中継搬送ユニット４の対向ベルト搬送機構は、合流搬送ユニット２から送り込まれる薄片１００を受け入れる側の端部に設けた案内板５９Ａと、搬送した薄片１００を次順の合流搬送ユニット２に渡す側の端部に設けた案内板５９Ｂとの部分を残して、適宜の保護覆４Ａで囲んである。なお、図１１の着脱構造における組付の際には、案内板５９Ｂを合流搬送ユニット２の案内板２Ｂの部分に入れ込ませるようにして組み付けるものである。
【００２２】
さらに、合流搬送ユニット２の搬送構造は、副搬送路Ｓから送り込まれる薄片１００を主搬送路Ｍに導くための湾曲状の経路を形成する２つの案内板２３Ａ１・２３Ａ２で構成した合流用の案内壁２３Ａを主搬送路Ｍに対して、その前側と後側とに対称状に配置し、また、主搬送路Ｍの一部に相当する直線状の経路を形成する２つの案内板２３Ｂ１・２３Ｂ２で構成した合流用の案内壁２３Ｂの先端側、つまり、薄片１００の送出側で各案内板２３Ａ２と一体に接続した案内壁２３を設けるとともに、各案内板２３Ａ１の中間部分に設けた覗き窓穴の部分に、合流用の送りローラ２５Ａを設け、さらに、先順の中継搬送ユニット４、つまり、上流側の中継搬送ユニット４から送り込まれる薄片１００を受け取る側の端部に、対向配置した２つのローラ２４Ａ・２４Ｂを設けた構造にしてあり、２つのローラ２４Ａ・２４Ｂが対向している部分は、薄片１００が入り込む程度のごく僅かの隙間を設けるか、または、殆ど接触する状態にしたものである。
【００２３】
そして、上記の合流搬送ユニット２の搬送構造は、ローラ２４Ａ・２４Ｂへの薄片１００の導入部分に設けた案内板２Ｂと、案内板２３Ａ１の先端側の薄片１００の送出部分とを残して、適宜の保護覆２Ａで囲んである。
【００２４】
ところで、上記の第２従来技術の構成では、パチンコ台島装置５００の幅Ｗが異なった場合、例えば、パチンコ台Ｂの背面側に設けたパチンコ台に付随する動作機構部分（図示せず）の奥行きが異なることによって幅Ｗが変わったり、または、パチンコ店の室内通路などの都合などによって幅Ｗが変わったりした場合には、導入搬送部分Ｃの搬送路の長さを変更して製造しなければならないという不都合が生ずることになる。
【００２５】
こうした不都合を解消するために、各導入搬送部分Ｃと各合流搬送ユニット２ととの間に薄片１００を案内して橋渡しをするための案内導管を別体にして設けるとともに、この案内導管から送り込まれる薄片１００を合流搬送ユニット２側に積極的に取り込むための取込搬送部分を合流搬送ユニット２側に設けるようにした図１３〜図１８のような構成（以下、第３従来技術という）が本願出願人の出願による特願平７−２０２４７８によって開示してある。
【００２６】
図１３〜図１８の構成は、図１０〜図１２の構成と同様に、搬送路の中間部分の構成のみを示したものであり、図１３〜図１８において、図８〜図１２の構成と異なる主な構成箇所は、導入搬送部分Ｃにおける対向ベルト搬送機構の部分を予定される寸法のうちの最も短い寸法にして構成しておき、導入搬送部分Ｃと合流搬送ユニット２との間の副搬送路Ｓに相当する部分に、導入搬送部分Ｃから送出された薄片１００を合流搬送ユニット２の導入口２Ｃ、つまり、薄片１００を受け取る入口まで案内するための案内導管８を設けるとともに、合流搬送ユニット２の導入口２Ｃの部分に、対向配置した２つのローラ７１Ａ・７１Ｂによって構成した取込搬送部分７を設けて主搬送路Ｍに対する合流を容易にした箇所である。
【００２７】
なお、図１３・図１７の構成では、取込搬送部分７を合流搬送ユニット２と一体のもにして構成してあるが、図１８のように、取込搬送部分７を別体にして構成したものを合流搬送ユニット２に適宜の固定具、例えば、ねじ止めによって取付固定する構成にもできるものである。
【００２８】
以下、図１３〜図１８の構成における細部の構成箇所を説明する。図１３・図１８の構成では、取込搬送部分７における２つのローラ７１Ａ・７１Ｂが直接的には対向しておらず、一方のローラ７１Ａには無端状の平ベルト７２Ａを掛けてあり、この平ベルト７２Ａと他方のローラ７１Ｂとが対向するとともに、ローラ７１Ｂの軸７１ｂをばね７３によって弾力的に押すことにより、ローラ７１Ｂを平ベルト７２Ａの外面に押圧させた構成にしてある。
【００２９】
こうした平ベルト７２Ａを介在させる構造にした理由は、図１８のように、取込搬送部分７の搬送駆動を合流搬送ユニット２に設けた駆動モータ２６によって駆動するための駆動機構を簡易な構造にするためである。つまり、駆動モータ２６によって駆動される歯車機構のうちの歯車の１つにより回転する軸３１ａに固定した駆動側のプーリ３１Ａに平ベルト７２Ａを掛けて、ローラ７１Ａを平ベルト７２Ａによって従動するように構成することにより、駆動モータ２６から遠い距離に配置したローラ７１Ａ・７１Ｂまでを連動するための歯車機構を省略し得るようにしたものである。
【００３０】
これに対して、図１７の構成では、ローラ７１Ａとローラ７１Ｂとを直接的に対向させておき、ローラ７１Ａの軸７１ａを駆動モータ２６に連動する歯車機構によって駆動するように構成してある。なお、いずれの構成の場合も、ローラ７１Ｂをばね７３によって弾力的に押す構造にしているのは、後述の薄片１００の混流防止動作の際に、薄片１００の取込を取込搬送部分７でスリップさせて停止状態にするためである。
【００３１】
合流搬送ユニット２と中継搬送ユニット４との着脱構造は、図１４・図１５・図１８のように、各合流搬送ユニット２に設けた受棚２ａ・２ｂの部分を上向きコ字状に形成するとともに、コ字状の開口部分に中継搬送ユニット４の外側部分を合致させて嵌め込むように構成することにより、前後方向に対する移動を固定するとともに、中継搬送ユニット４の上面側から張り出した張出部分４７Ａに設けた掛止用の穴４７を、合流搬送ユニット２の上面部分に設けた掛止用の突起３０に乗せ掛けて入れ込むように組付操作を行い、その逆の操作によって取り外し操作、つまり、分解操作を行い得るように構成してある。なお、薄片１００を中継搬送ユニット４から合流搬送ユニット２に送り込む箇所の案内板５９Ｂは、図１８のように、上向きコ字状の案内板と下向きコ字状の案内板とを薄片１００の上下端よりも少し広い間隔で配置してある。
【００３２】
案内導管８は、図１８のように、縦長四角形の管状体を主体にして構成し、弾性をもつ材質、例えば、合成樹脂材で形成したものであり、管内を薄片１００を余裕をもって通すことができる大きさの縦長の細長四角形に形成するとともに、導入搬送部分Ｃに組み付ける側には、導入搬送部分Ｃの保護覆Ｃ３に押し込んで掛け止めするための掛止爪８３と、上下の捩れを止めるための差込爪８２とを設けたものであって、長さＬ５の異なるものを作ることにより、パチンコ台島装置５００の幅Ｗの変化に対応し得るようにしてある。なお、案内導管８の取込搬送部分７に差し込む側は、ローラ７１Ａ・７１Ｂに相当する部分を切り欠いて上下の部分８１を残しておき、この上下の部分によって、案内導管８を取込搬送部分７に取付けるようにしてある。
【００３３】
駆動モータ２６によって駆動する歯車機構部分は、図１５のように、各ローラ、各プーリなどの駆動の軸に設けた歯車を、それらの軸を所定の回転速度にするための中間歯車とを設けて構成したものであり、図中の符号の箇所が図１３・図１４・図１７・図１８に示す同一符号の箇所に対応するので、ここでは説明を省略する。なお、歯車機構によって駆動される各ローラ、各プーリなどの回転速度は、薄片１００が合流搬送ユニット２と中継搬送ユニット４とにおける副搬送路Ｓと主搬送路Ｍとを同一速度で送行し得る速度に選定してあることは言うまでもない。そして、手動用つまみ２７Ｃは、歯車２９Ｄと歯車４６ｂとの噛み合わせ位置を調整する場合、合流搬送ユニット２の内部に薄片１００が何らかの理由で停滞して詰まったときに、それを取り出す操作を行う場合などに、歯車機構全体を手動で回転させるためのものである。
【００３４】
中継搬送ユニット４の内部と保護覆４Ａとの部分の具体的な構造は、図１６のように、軸受を兼ねる上下のフレーム４１の部分をアルミニウムなどの金属材で形成するとともに、保護覆４Ａの前側と後側との部分を合成樹脂材で形成した覆用部材４８を下端側を支点として開閉可能に構成することにより、内部の対向ベルト搬送機構４２の部分を露呈し得るようにして、薄片１００が何らかの理由で、対向ベルト搬送機構４２の部分で停滞状態になった場合に、薄片１００の取出操作を行える構成してある。
【００３５】
そして、覆用部材４８は、支点となる部分にヒンジ、例えば、その部分の肉厚を薄くして曲がり易くしたヒンジを形成しておき、下方の取付部分４９を適宜の固定具、例えば、ねじ止めによってフレーム４１に固定するとともに、上端部分に形成した掛止部分５４によって上側のフレーム４１に掛止可能にしたものであり、掛止部分５４は、圧縮ばね５２により押し出されるようにした球体５３、例えば、金属球の頭部を、フレーム４１の上面に設けた凹穴５５に入れ込んで掛け止めを行うようになっている。
【００３６】
さらに、覆用部材４８には、搬送される薄片１００の上下部分に相当する位置に突出部分５６・５７を設けることにより、薄片１００の姿勢を直立させた状態で搬送し得るように構成するとともに、下側の突出部分５７の一部を切り欠いた部分に、図１８のように、薄片１００の通過を検出するための検出器９９、例えば、赤外光の反射によるセンサを配置してあり、この検出器９９により検出した信号を、上記の球貸装置（装置全体は図示せず）の制御部（図示せず）に与え、導入搬送部分Ｃの内部に設けた駆動モータ（図示せず）を停止させて、導入搬送部分Ｃの対向ベルト搬送機構の搬送動作を停止することにより、主搬送路Ｍに複数の薄片１００が混流して薄片１００の搬送が詰まるような事故を防止するための混流防止動作を行わせるように構成してある。
【００３７】
また、上記の薄片１００の取出操作を、管理者以外の者が行ない、盗難事故を起こすことを未然に防止するために、図１８のように、下向きコ字状に形成した盗難防止用覆９の両側の垂直板部分９４を、両側の覆用部材４８を挟み押え込むようにして差し込んだ後に、掛爪９２を鍵９１により回転させてフレーム４１の下側に入れ込むことによって、鍵９１を用いない限り両側の覆用部材４８を開くことが出来ないようにしてある。なお、中継搬送ユニット４の端部の上方に設けた張出部分９８と、盗難防止用覆９に設けた張出部分９５とは、それぞれ、中継搬送ユニット４を合流搬送ユニット２に組み付けた際に、合流搬送ユニット２の上面側に設けた掛爪３５Ａ・３５Ｂを回転させて、各張出部分９５・９８を押えることにより、中継搬送ユニット４が上方へ離脱しないように固定するためのものである。
【００３８】
そして、各構成部分の材質は、上記の箇所以外の各ローラと平ベルトの部分が合成樹脂材、例えば、ウレタンゴム材、各軸の部分がステンレス鋼材、各軸の軸受部分を兼ねるフレーム、その他の構成部分などは主としてアルミニウム材を主体として構成してある。
【００３９】
上記の第１従来技術・第２従来技術のような薄片搬送装置３００では、図７のように長いパチン台島装置５００の場合には、パチンコ台島装置５００の主体部分を設置した後に、薄片搬送装置３００を組み付ける作業を現場で行わなければならないという不都合があるため、例えば、パチンコ台Ｂの数を４台程度にした小型のパチンコ台島装置５００にして構成するとともに、図１９のように、〔収納搬送形態・終端搬送形態〕のパチンコ台島装置５００と、〔始端搬送形態・中間搬送形態〕のパチンコ台島装置５００とを設ける構成（以下、第３従来技術という）が本願出願人の出願による特願平９−８１５８２号により開示してある。
【００４０】
つまり、図１９において、〔始端搬送形態〕のパチンコ台島装置５００では、主搬送路Ｍの右端側、すなわち、主搬送路Ｍの始端側に点線で示した薄片１００の入口がなく、前側の副搬送路Ｓと後側の副搬送路Ｓとに薄片１００の各入口を設けるとともに、主搬送路Ｍの左端側、すなわち、終端側に、実線で示した薄片１００の出口を設けて構成し、また、〔中間搬送形態〕のパチンコ台島装置５００では、〔始端搬送形態〕の構成に加えて、主搬送路Ｍの始端側に点線で示した薄片１００の入口を設けて構成し、さらに、〔収納搬送形態・終端搬送形態〕のパチンコ台島装置５００では、〔中間搬送形態〕の構成における主搬送路Ｍの出口に設けた収納箱１１０に搬送した薄片１００を収納するか、または、主搬送路Ｍの出口を他の適宜のものに入れ込むための出口として構成するようにしている。なお、主搬送路Ｍに対して副搬送路Ｓが流れ込む角度θを合流角度という。
【００４１】
また、上記の第３従来技術の構成による小型のパチンコ台島装置５００を、上記の第１従来技術〜第３従来技術の構成を用いて構成したものでは、各合流搬送ユニット２の部分の構成が複雑になること、また、搬送路の合流部分と主搬送路Ｍとの搬送機構を駆動する駆動モータ２６を各合流搬送ユニット２ごとに設けているため、駆動モータ２６自体の配置数が多くなること、さらに、配置数の多い駆動モータ２６の運転停止を制御するため制御部分の構成も複雑になることなどによって、装置全体が高価なものとなり、薄片搬送装置３００またはパチンコ台島装置５００を安価に提供し得ないという不都合があるほか、駆動モータ２６の配置数が多いため、消費電力量が多く、運転経費がかさむなどの不都合がある。  さらに、最近のパチンコ台島装置５００では、薄片１００を入れ込む球貸装置の各導入搬送部Ｃを各パチンコ台ごとに左側に配置するように約束づけて設ける構成のものが多くなっているが、上記の第２従来技術・第３従来技術の構成では、前側の導入搬送部Ｃと後側の導入搬送部Ｃとが主搬送路Ｍに合流する位置を同一の位置にして構成してあるため、パチンコ台島装置５００の前側の端部に配置された合流搬送部２では後側の合流部分の構成が無駄なものになり、また、後側の端部に配置された合流搬送部２では前側の合流部分の構成が無駄なものになるという不都合が生ずる。
【００４２】
このため、こうした不都合を解消する構成として、図２０・図２１のように、前側のパチンコ台列Ｂ１の導入搬送部分Ｃと、後側のパチンコ台列Ｂ２の導入搬送部分Ｃとの位置を異ならせることにより、全ての副搬送路Ｓが主搬送路Ｍと合流する位置が異なる位置になるように構成するとともに、複数の合流搬送ユニットのうちのいずれか１つに設けた駆動モータ２６によって、全ての合流搬送ユニットを駆動するように構成（以下、第４従来技術という）が本願出願人の出願による特願平９−８１５８２号により開示してある。
【００４３】
図２０・図２１において、図７〜図１９の符号と同一符号で示した部分は、図７〜図１９によって説明した同一符号の部分と同一の機能をもつ部分である。また、図２０・図２１に同一符号で示す部分は、図２０・図２１のいずれかにおいて説明する同一符号の部分と同一の機能をもつ部分である。
【００４４】
そして、図２０の構成は、上記の第２従来技術の構成を〔中間搬送形態〕の搬送路構成に変更したものであって、図１０〜図１２の構成と異なる箇所は、第１には、導入搬送部分Ｃの隣に適宜の他用空間部分Ｄ、例えば、遊技客の鞄や貴重品類を入れる棚などに利用する部分を配置することによって、複数のパチンコ台Ｂを配置したパチンコ台列Ｂ１・Ｂ２における前側のパチンコ台列Ｂ１の導入搬送部分Ｃと、後側のパチンコ台列Ｂ２の導入搬送部分Ｃとの位置を異ならせることにより、全ての副搬送路Ｓが主搬送路Ｍと合流する位置が異なる位置になるように構成した箇所である。
【００４５】
また、第２には、主搬送路Ｍの前側の副搬送路Ｓと主搬送路Ｍの合流箇所では、前側からのみの合流が行い得るようにした前側合流搬送ユニット２Ｓ１を設け、主搬送路Ｍの後側の副搬送路Ｓと主搬送路Ｍの合流箇所では、後側からのみの合流を行い得るようにした後側合流搬送ユニット２Ｓ２を設けた箇所である。
【００４６】
さらに、第３には、主搬送路Ｍの対向ベルト搬送機構４２Ａを構成する前側の平ベルト４５Ａは、主搬送路Ｍの始端部分Ｍ１では、その始端部分Ｍ１から初順の前側合流搬送ユニット２Ｓ１の合流部分の手前までの搬送を行い、主搬送路Ｍの中間部分では、先順の前側合流搬送ユニット２Ｓ１の合流部分から次順の前側合流搬送ユニット２Ｓ１の合流部分の手前までの搬送を行い、主搬送路Ｍの終端部分Ｍ２では、最終順の前側合流搬送ユニット２Ｓ１の合流部分から終端部分Ｍ２までの搬送を行うように構成し、また、主搬送路Ｍの対向ベルト搬送機構４２Ａを構成する後側の平ベルト４５Ｂは、主搬送路Ｍの始端部分Ｍ１では、その始端部分Ｍ１から次順の後側合流搬送ユニット２Ｓ２の合流部分の手前までの搬送を行い、主搬送路Ｍの中間部分では、先順の後側合流搬送ユニット２Ｓ２の合流部分から次順の後側合流搬送ユニット２Ｓ２の合流部分の手前までの搬送を行い、主搬送路Ｍの終端部分Ｍ２では、最終順の後側合流搬送ユニット２Ｓ２の合流部分から終端部分Ｍ２までの搬送を行うように構成した箇所である。
【００４７】
そして、第４には、前側合流搬送ユニット２Ｓ１・後側合流搬送ユニット２Ｓ２は、いずれも、案内壁２３Ａを一方の副搬送路Ｓに対応する部分のみを設け、さらに、主搬送路Ｍの案内板２３Ｂ１・２３Ｂ２を主搬送路Ｍの片側に位置する一方側のみ、つまり、前側合流搬送ユニット２Ｓ１では案内板２３Ｂ１のみを設け、また、後側合流搬送ユニット２Ｓ２では案内板２３Ｂ２のみを設けて構成するとともに、第２従来技術の構成では、合流搬送ユニット２の主搬送路Ｍの部分に対向配置して設けていたローラ２４Ａ・２４Ｂを除去して構成した箇所である。
【００４８】
また、第５には、複数の合流搬送ユニット、つまり、前側合流搬送ユニット２Ｓ１・後側合流搬送ユニット２Ｓ２のうちのいずれか１つ、例えば、初順の前側合流搬送ユニット２Ｓ１に設けた駆動モータ２６によって、全ての合流搬送ユニット、つまり、全ての前側合流搬送ユニット２Ｓ１・後側合流搬送ユニット２Ｓ２に設けた搬送駆動部分、例えば、ローラ２５Ａ、プーリ４３Ａ・４３Ｂ・４４Ａ・４４Ｂ・４４ａ・４４ｂ・、平ベルト４５Ａ・４５Ｂなどを駆動するように構成した箇所である。
【００４９】
そして、この駆動構成は、具体的には、図２０の構成の場合、例えば、駆動モータ２６を設けた合流搬送ユニット、つまり、前側合流搬送ユニット２Ｓ１には、図１５の歯車機構と同様の歯車機構を設けることにより、ローラ２５Ａとプーリ４３Ａ・４４ａとを所定の回転速度で所定の回転方向に駆動するように構成し、始端部分Ｍ１に位置する後側合流搬送ユニット２Ｓ２には、上記の駆動によって回転するプーリ４４ａに掛けられた平ベルト４５Ａの回転に従動するプーリ４４Ａの軸を駆動源として、プーリ４４ｂと、ローラ２５Ａと、プーリ４３Ｂとを所定の回転速度で所定の回転方向に駆動するための歯車機構を図１５と同様の歯車機構によって設け、次順の後側合流搬送ユニット２Ｓ２には、上記の駆動によって回転するプーリ４３Ｂに掛けられた平ベルト４５Ｂの回転に従動するプーリ４４Ｂを駆動源として、ローラ２５Ａとプーリ４３Ｂとを所定の回転速度で所定の回転方向に駆動するための歯車機構を図１５と同様の歯車機構によって設けることにより、プーリ４３Ｂに掛けられた平ベルト４５Ｂと平ベルト４５Ｂに従動するプーリ４４Ｂと回転するように構成し、また、終端部分Ｍ２に位置する前側合流搬送ユニット２Ｓ１には、駆動モータ２６を設けた先順の前側合流搬送ユニット２Ｓ１のプーリ４３Ａに掛けられた平ベルト４５Ａの回転に従動するプーリ４４Ａを駆動源として、ローラ２５Ａとプーリ４３Ａとを所定の回転速度で所定の回転方向に駆動するための歯車機構を図１５と同様の歯車機構によって設けることにより、プーリ４３Ａに掛けられた平ベルト４５Ａと平ベルト４５Ａに従動するプーリ４４Ａと回転するように構成することができる。
【００５０】
次に、図２１の構成は、図２０の構成における副搬送路Ｓと合流部分との構成とを、図１３の第３従来技術の構成と同様に変更したパチンコ台島５００の右部分における構成を示したものである。なお、左半分の構成は、図２１の構成と対称的な構成になっているが、各部の動作方向を主搬送路Ｍの搬送方向に一致させるように構成してあることは言うまでもない。
【００５１】
図２１の構成において、図２０の構成と異なる箇所は、図１３の構成と同様に、各副搬送路Ｓにおける導入搬送部分Ｃと案内導管８とを、図１３の構成における導入搬送部分Ｃと案内導管８と同様の構成にするとともに、案内導管８から送出された薄片１００を前側合流搬送ユニット２Ｓ１に取り込むための取込搬送部分７と、案内導管８から送出された薄片１００を後側合流搬送ユニット２Ｓ１に取り込むための取込搬送部分７とを、図１３の構成における取込搬送部分７と同様の構成と同様の構成によって構成した箇所である。
【００５２】
したがって、１つの合流搬送ユニット、例えば、前側合流搬送ユニット２Ｓ１にのみ設けた１つの駆動モータ２６によって、全ての合流搬送ユニット、つまり、全ての前側合流搬送ユニット２Ｓ１・後側合流搬送ユニット２Ｓ２に設けた搬送部分を駆動する構成は、前側合流搬送ユニット２Ｓ１・後側合流搬送ユニット２Ｓ２に設けた図１５と同様の歯車機構部分に、取込搬送部分７に配置したローラ７１Ａ・７１Ｂをも回転し得るようにした歯車構成を設ければよいことなので、詳細な構成については説明を省略する。
【００５３】
また、図２１の構成の要部を、図１７の構成と同様にした構成として、図２１の構成における取込搬送部分７の構成、つまり、ローラ７１Ａ・７１Ｂの駆動部分の構成を、図１７の構成における取込搬送部分７の構成と同様の構成に変更して構成したものとすることができる。
【００５４】
さらに、上記の各構成は次のように変形して構成することができる。つまり、（１）他用空間部分Ｄを配置する位置をパチンコ台Ｂの右側に配置するように変更して構成する。（２）駆動モータ２６を設ける合流搬送ユニットを、他の前側合流搬送ユニット２Ｓ１または後側合流搬送ユニット２Ｓ２のうちのいずれか１つに設けて構成する。（３）他用空間部分Ｄを、パチンコ台Ｂごとに設けずに、パチンコ台列Ｂ１の一端側に１つ設け、パチンコ台列Ｂ２の他端側に１つ設けることによって、主搬送路Ｍに対する副搬送路Ｓの合流位置を異ならせるように構成する。（４）４台を超える台数のパチンコ台Ｂを配置したパチンコ台島装置５００に適用して構成する。（５）上記（４）の構成において、前側合流搬送ユニット２Ｓ１・後側合流搬送ユニット２Ｓ２の数を分割した複数の前側合流搬送ユニット２Ｓ１・後側合流搬送ユニット２Ｓ２を、それぞれ１つの駆動群として構成し、各駆動群をその駆動群の前側合流搬送ユニット２Ｓ１・後側合流搬送ユニット２Ｓ２のうちの１つに設けた駆動モータ２６によって駆動するように構成する。つまり、例えば、パチンコ台を８台配置した場合、主搬送路Ｍの始端側に配置した前側の２台と後側の２台との４台を１つの駆動群とし、残りの４台を他の１つの駆動群とし、それぞれの駆動群の適宜の合流搬送機構部分、例えば、主搬送路Ｍの上流側に配置された前側合流搬送ユニット２Ｓ１に配置した駆動モータによって、それぞれの駆動群の合流と搬送を駆動する。（６）合流角度θを薄片１００Ａ、つまり、薄片１００が合流し易い角度、例えば、８５°にして構成する。（７）前側合流搬送ユニット２Ｓ１と後側搬送ユニット２Ｓ２との構成を、第１従来技術における主搬送路部分３００Ａの構成と同様の構成に変更して構成する。（８）主搬送路Ｍの対向ベルト搬送機構における各平ベルト４５Ａ・４５Ｂのプーリが片側のみしか配置していない箇所の全ての箇所、または、そのうちの任意の箇所、例えば、点線で示した箇所に、対向させた従動プーリを設けて構成することにより、各ベ平ルト４５Ａ・４５Ｂに多少の弛みが生じても搬送が良好に行えるようにする。（９）各平ベルト４５Ａ・４５Ｂを、裏面に歯形を設けたベルト、つまり、タイミングベルトに変更するとともに、各プーリをタイミングベルト用のプーリに変更して構成する。（１０）主搬送路Ｍの始端部分Ｍ１と終端部分Ｍ２とに配置する後側合流搬送ユニット２Ｓ２と前側合流搬送ユニット２Ｓ１とを、それぞれ、主搬送路Ｍの途中部分に配置する後側合流搬送ユニット２Ｓ２と前側合流搬送ユニット２Ｓ１と同じ共通形ユニットにして作るとともに、これらのユニットとは別体にして作った始端部分Ｍ１の対向するプーリ４４Ａ・４４ｂの部分と、終端部分Ｍ２の対向するプーリ４４Ａ・４４Ｂの部分とを、それぞれ、上記の共通形のユニットに組付固定することによって、始端部分Ｍ１と終端部分Ｍ２とに配置する後側合流搬送ユニット２Ｓ２と前側合流搬送ユニット２Ｓ１とを作るように構成する。（１１）図２０・図２１の構成において、後側合流搬送ユニット２Ｓ２と前側合流搬送ユニット２Ｓ１とにおける取込搬送部分７のローラ７１Ａ・７１Ｂを逆になるように入れ換えて構成する。つまり��ローラ７１Ａとこれに付随する機構部分を主搬送路Ｍの下流側に配置するとともに、ローラ７１Ｂとこれに付随する機構部分を主搬送路Ｍの上流側に配置するように変更して構成するなどの構成が可能である。
【００５５】
なお、上記の第１従来技術〜第４従来技術の構成は、搬送する薄片１００を、紙幣以外の薄片、例えば、伝票・カードなどのような薄片の搬送にも使用できるものであることは言うまでもない。
【００５６】
【発明が解決しようとする課題】
上記の第１従来技術の構成では、比較的短い間隔で配置したローラ２５Ｙと丸ベルト４５Ｘとの間に、薄片１００、例えば、紙幣などの中央部分のみ挟んで搬送しているため、薄片１００の中央部分のみに局部的に集中した極度の摩擦力が与えられるので、この部分に皺や摩耗が生じ易く、また、比較的短い間隔で配置した多数のローラ２５Ｙを従動させているため、相当の駆動力を要するので、強力な駆動モータを用いなくてはならないという不都合がある。
【００５７】
これに対して、上記の第２従来技術・第３従来技術では対向ベルト搬送機４２・４２Ａによる２つの平ベルトの間に薄片１００、例えば、紙幣などを挟んで搬送するため、薄片１００に平均した摩擦力が与えられるので上記の不都合は解消し得るという利点があるが、対向ベルト搬送機構４２・４２Ａにおける２つの平ベルトが薄片１００、例えば、紙幣などを挟んで押えている力（この発明において、挟圧力という）が弱いので、平ベルト４５Ａ・４５Ｂの表面が摩耗し、または、平ベルト４５Ａ・４５Ｂの表面の摩擦係数が低下してくると、薄片１００、例えば、紙幣などが新品であって表面の摩擦係数が極度に少ないものの場合などには、搬送停滞事故を招くことが時折あるという不都合がある。
【００５８】
この不都合を解消するために、搬送路の箇所の２つの平ベルトを両外側から押えるためのローラを比較的短い間隔で配置するようにした構成が考えられるが、この構成では、上記の第１従来技術の場合と同様に、多数のローラを従動させることになるため、強力な駆動モータが必要になるので、電力消費量が大きくなるほか、装置の大型高価なものにならざるを得ないなどの不都合が生ずる。
【００５９】
このため、こうした不都合のない薄片搬送装置ならびにその利用装置、例えば、パチンコ台島装置の提供が望まれているという課題がある。
【００６０】
【課題を解決するための手段】
この発明は、上記のような
薄片を対向する２つの平ベルトの間に挟んで搬送する対向ベルト搬送機構により上記の薄片を所定の搬送方向に搬送する搬送路を設けるとともに、この搬送路を曲折させて上記の搬送を行うようにした薄片搬送装置において、
上記の２つの平ベルトの途中箇所に曲折用ローラを設けることなく、一方の上記の平ベルトのプーリ（以下、一方側プーリという）と、他方の上記の平ベルトのプーリ（以下、他方側プーリという）とを、上記の搬送方向において相対的にずらせるとともに、上記の一方側プーリと上記の他方側プーリとを上記の搬送方向と交差する方向に相対的に偏移させるのみで、上記の搬送路を曲折させることにより、上記の薄片に対する上記の平ベルトの挟圧力を増強する挟圧力増強手段  を設ける第１の構成と、
【００６１】
この第１の構成において、
上記の対向ベルト搬送機構を上記の搬送方向に沿って複数設けるとともに、上記の偏移の方向を交互に反対方向にすることによって、上記の搬送路を蛇行状に曲折させた第２の構成と、
【００６２】
薄片を対向する２つの平ベルトの間に挟んで搬送する対向ベルト搬送機構により上記の薄片を所定の搬送方向に搬送する搬送路を設けるとともに、この搬送路を曲折させるための曲折用ローラを設けるようにした薄片搬送装置において、
上記の曲折用ローラの軸を上記の搬送路の手前側で覆うとともに上記の所定方向と反対方向に延長した部分を上記の搬送路の外側に向けて湾曲させた案内片によって上記の薄片を案内することにより、上記の薄片の上下部分が上記の軸に引っ掛かることを防止する引掛防止手段
を設ける第３の構成と、
【００６３】
薄片を対向する２つの平ベルトの間に挟んで搬送する対向ベルト搬送機構により上記の薄片を所定の搬送方向に搬送する搬送路を設けるとともに、この搬送路を曲折させて上記の搬送を行うようにした薄片搬送装置を設けたパチンコ台島装置において、
上記の平ベルトの幅の１／２程度に小さい幅をもち外周面に膨らみ部分をもつ曲折用ローラ、もしくは、上記の平ベルトの幅と同程度の幅または上記の平ベルトの幅よりも大きい幅をもち外周面が円錐台形状を背中合わせにした頂部を膨らみ部分とした曲折用ローラを、上記の平ベルトの途中に配置するとともに、上記の曲折用ローラを搬送方向と交差する方向に変移させることにより、上記の平ベルトの幅の中央部分を上記の膨らみ部分として「くの字状」に曲折させるとともに、上記の搬送路の曲折を行わせることにより、上記の薄片に対する上記の平ベルトの挟圧力を増強する挟圧力増強手段
を設ける第４の構成と、
【００６４】
この第４の構成において、
上記の曲折用ローラを上記の平ベルトの両側に交互に配置することによって、上記の搬送路を蛇行状に曲折させた第５の構成と、
【００６５】
薄片を対向する２つの平ベルトの間に挟んで搬送する対向ベルト搬送機構により上記の薄片を所定の搬送方向に搬送する搬送路を設けるとともに、この搬送路を曲折させて上記の搬送を行うようにした薄片搬送装置を設けたパチンコ台島装置において、
上記の第１の構成と同様の挟圧力増強手段を設ける第６の構成と、
この第６の構成において、
上記の対向ベルト搬送機構を上記の搬送方向に沿って複数設けるとともに、上記の偏移の方向を交互に反対方向にすることによって、上記の搬送路を蛇行状に曲折させた第７の構成と、
【００６６】
薄片を対向する２つの平ベルトの間に挟んで搬送する対向ベルト搬送機構により上記の薄片を所定の搬送方向に搬送する搬送路を設けるとともに、この搬送路を曲折させるための曲折用ローラを設けるようにした薄片搬送装置を設けたパチンコ台島装置において、
上記の第３の構成と同様の引掛防止手段を設ける第８の構成と
により上記の課題を解決したものである。
【００６７】
【発明の実施の形態】
この発明の実施の形態として、この発明を上記の第２従来技術における図９の構成に適用した場合の実施例と、上記の第３従来技術における図２０の構成に適用した場合の実施例とを説明する。なお、実施例以外の参考例についても説明する。
【００６８】
【実施例】
以下、図１〜図２により参考例を説明し、図３〜図６によって実施例を説明する。図１〜図６において、図７〜図２１の符号と同一の符号で示した部分は、図７〜図２１によって説明した同一符号の部分と同一の機能をもつ部分である。また、図１〜図６に同一符号で示す部分は、図１〜図６のいずれかにおいて説明する同一符号の部分と同一の機能をもつ部分である。
【００６９】
なお、図１〜図６において、各対向ベルト搬送機構４２の各平ベルト４５Ａ・４５Ｂが対向する間の箇所は、隙間を空けて画いてあるが、この隙間は、説明を理解し易いように画いたものであって、上記の第２従来技術・第３従来技術における対向ベルト搬送機構の部分と同様に、実際には、殆ど隙間がなく、薄片１００、例えば、紙幣などを挟んで搬送し得るように構成したものであり、また、所定方向Ｔは、図１２・図２０の主搬送路Ｍによって、薄片１００、例えば、紙幣などを搬送する方向に相当する方向である。
【００７０】
そして、図１〜図４・図６における対向ベルト搬送機構４２の部分は図１２の構成における対向ベルト搬送機構４２の部分のみを取り出して画いたものであり、また、図５における対向ベルト搬送機構４２の部分は図２０の構成における対向ベルト搬送機構４２に部分のみを取り出して画いたものである。
【００７１】
〔第１の参考例〕
以下、図１・図２・図１２・図１４・図１８により、第１の参考例として、第１の参考的な構成〜第４の参考的な構成を説明する。図１の〔単曲折構成〕と図２とにおいて、搬送路２００は、図１２における対向ベルト搬送機構４２が薄片１００、例えば、紙幣などを搬送する搬送路に相当する部分であるが、図１２の場合と異なる箇所は、曲折用ローラ２０１によって曲折した搬送路に形成した箇所である。
【００７２】
具体的には、図１の〔単曲折構成〕において、曲折用ローラ２０１は、例えば、図１４・図１８における従動側のプーリ４４Ａ・４４Ｂと同様の構造のものを、平ベルト４５Ａを案内するためのローラとして用いたものであり、その取付位置を所定方向Ｔと交差する方向Ｕに偏移させることにより、各平ベルト４５Ａ・４５Ｂの各往き側４５Ａ１・４５Ｂ１の間の搬送路２００を単一の曲折をもつ搬送路に形成したものである。
【００７３】
また、曲折用ローラ２０１の取付は、例えば、図１２・図１８のプーリ４４Ａ・４４Ｂと同様に、上下方向に移動しないように、軸２０１Ａ・２０１Ｂを中継搬送ユニット４の上下のフレーム４１によって支持するとともに、取付位置を所定方向Ｔと交差する方向Ｕに偏移させた位置に配置してある。なお、この偏移は、平ベルト４５Ｂの往き側４５Ｂ１と平ベルト４５Ｂの戻り側４５Ｂ２とが触れ合わない位置にしておく必要があることは言うまでもない。
【００７４】
したがって、曲折用ローラ２０１は平ベルト４５Ａの往き側４５Ａ１の移行に従動して、平ベルト４５Ａの往き側４５Ａ１を平ベルト４５Ｂの往き側４５Ｂ１に押し付けながら回転するため、搬送路２００の部分での薄片１００、例えば、紙幣などに対する各平ベルト４５Ａ・４５Ｂの挟圧力が増強されることになる。つまり、一般に、平ベルト４５Ａ・４５Ｂは多少伸縮し得る張力をもつものを、伸長させて張力をもたせた状態で、プーリ４３Ａ・４４Ａと、プーリ４３Ｂ・４４Ｂとに掛けているために、曲折された搬送路２００の部分では、平ベルト４５Ｂの往き側４５Ｂ１を平ベルト４５Ａの往き側４５Ａ１に押し付けて密着させる方向の力が働くために、上記の挟圧力の増強が生ずるものである。
【００７５】
なお、曲折用ローラ２０１は、その軸２０１Ａ・２０１Ｂとともに一体に回転する構成、または、軸２０１Ａ・２０１Ｂが固定されていて、曲折用ローラ２０１のみが回転する構成のいずれのものであっても差し支えない。また、必要に応じて、軸２０１Ａ・２０１Ｂを長穴（図示せず）で保持するとともに、図２のように、ばね２０１Ｃ・２０１Ｄを設けて、曲折用ローラ２０１を平ベルト４５Ａに弾力的に押し付けることにより、平ベルト４５Ａ・４５Ｂが疲労して多少張力が低下した場合にでも、挟圧力を維持し得るように構成することもできる。さらに、このばね２０１Ｃ・２０１Ｄを、各軸２０１Ａ・２０１Ｂを方向Ｕの方に押すようにした圧縮ばね（図示せず）に変更して構成することもできる。
【００７６】
そして、この第１の参考例によれば、図１２の薄片搬送装置３００のように、薄片１００、例えば、紙幣などを対向する２つの平ベルト４５Ａ・４５Ｂの間に挟んで搬送する対向ベルト搬送機構４２により上記の薄片１００を所定方向Ｔに搬送する薄片搬送装置３００において、
上記の２つの平ベルト４５Ａ・４５Ｂによる搬送路２００を、例えば、曲折用ローラ２０１によって、曲折した搬送路に形成することにより、上記の搬送路２００での上記の薄片１００に対する上記の平ベルト４５Ａ・４５Ｂの挟圧力を増強する挟圧力増強手段を設けた第１の参考的な構成になっているものであり、
また、同様の薄片搬送装置３００において、
上記の２つの平ベルト４５Ａ・４５Ｂによる搬送路２００の途中に設けられて上記の平ベルト、例えば、平ベルト４５Ａを案内するローラ２０１を上記の所定方向Ｔと交差する方向Ｕに偏移させて上記の搬送路２００を曲折させることにより、上記の搬送路２００での上記の薄片１００に対する上記の平ベルト４５Ａ・４５Ｂの挟圧力を増強する挟圧力増強手段を設けた第２の参考的な構成になっているものである。
【００７７】
さらに、上記の第１の参考例の構成による薄片搬送装置３００を設けた図１２のパチンコ台島装置５００の構成は、薄片１００、例えば、紙幣などを対向する２つの平ベルト４５Ａ・４５Ｂの間に挟んで搬送する対向ベルト搬送機構４２により上記の薄片１００を所定方向Ｔに搬送する薄片搬送装置３００を設けたパチンコ台島装置５００において、
上記の第１の参考的な構成と同様の挟圧力増強手段を設けた第３の参考的な構成になっているものであり、
また、同様のパチンコ台島装置５００において、
上記の第２の参考的な構成と同様の挟圧力増強手段を設けた第４の参考的な構成になっているものである。
【００７８】
そして、上記の第１の参考的な構成〜第４の参考的な構成によれば、搬送路２００の直線状の部分を短くして、途中に、曲折した箇所を設けているので、上記の挟圧力の増強に加えて、搬送される薄片１００、例えば、紙幣などは、図２のように、所定方向Ｔから斜めに曲げられて搬送路２００の前半部分に入れ込まれ、前半部分を過ぎると、途中の曲折用ローラ２０１の位置で、「への字状」に曲げられて搬送路２００の後半部分に入れ込まれ、後半部分を過ぎると搬送路２００から斜めに曲げられて所定方向Ｔに入れ込まれるように搬送されることになるため、斜めに曲げられることによる平ベルト４５Ａ・４５Ｂ間での挟圧力の増強と、曲折した搬送路２００の部分での平ベルト４５Ａと平ベルト４５Ｂとの僅かな速度差が薄片１００、例えば、紙幣などに与える摩擦による挟圧力の増強とが行える構成になっている。
【００７９】
〔第２の参考例〕
以下、図１・図２・図１２・図１４・図１８により、第２の参考例として、第１の参考的な構成・第３の参考的な構成・第５の参考的な構成・第６の参考的な構成を説明する。この第２の参考例の構成が、上記の第１の参考例の構成と異なる箇所は、図１の〔蛇行状曲折構成〕のように、複数の曲折用ローラ２０１・２０２・２０３を間隔配置して設けることにより、搬送路２００を複数の曲折をもつ蛇行状に曲折させて形成するように構成した箇所である。
【００８０】
つまり、具体的には、図１の〔蛇行状曲折構成〕において、曲折用ローラ２０２・２０３を、曲折用ローラ２０１と全く同様のもので構成するとともに、その取付位置を所定方向Ｔと交差する方向であって、曲折用ローラ２０１の偏移とは反対の方向Ｖに偏移させることにより、各平ベルト４５Ａ・４５Ｂの各往き側４５Ａ１・４５Ｂ１の間の搬送路２００を複数の曲折をもつ蛇行状の搬送路に形成したものである。
【００８１】
なお、必要に応じて、上記の第１の参考例で述べたように、各曲折用ローラ２０１・２０２・２０３を平ベルト４５Ａ・４５Ｂに弾力的に押し付けるように構成することができる。また、曲折用ローラ２０２・２０３の偏移の限度は、平ベルト４５Ａの往き側４５Ａ１と平ベルト４５Ａの戻り側４５Ａ２とが触れ合わないように限度づけることは言うまでもない。
【００８２】
そして、この第２の参考例の構成は、上記の第１の参考例の場合と同様の薄片搬送装置３００において、
上記の２つの平ベルト４５Ａ・４５Ｂによる搬送路２００を、例えば、曲折用ローラ２０１・２０２・２０３によって、曲折した搬送路に形成することにより、上記の搬送路２００での上記の薄片１００、例えば、紙幣などに対する上記の平ベルト４５Ａ・４５Ｂの挟圧力を増強する挟圧力増強手段を設けた上記の第１の参考的な構成になっているものであり、
また、同様の薄片搬送装置３００において、
上記の２つの平ベルト４５Ａ・４５Ｂによる搬送路２００の途中に設けられて一方の上記の平ベルト、例えば、平ベルト４５Ａを案内するローラ２０１と他方の上記の平ベルト、例えば、平ベルト４５Ｂを案内するローラ２０２・２０３とを交互に設けるとともに、各上記のローラ２０１・２０２・２０３を上記の所定方向Ｔと交差する方向Ｕ・Ｖに偏移させて上記の搬送路２００を蛇行状に曲折させることにより、上記の搬送路２００での上記の薄片１００、例えば、紙幣などに対する上記の平ベルト４５Ａ・４５Ｂの挟圧力を増強する挟圧力増強手段を設けた上記の第５の参考的な構成になっているものである。
【００８３】
さらに、この第２の参考例による薄片搬送装置３００を設けたパチンコ台島装置５００の構成は、そのパチンコ台島装置５００において、
上記の第１の参考的な構成と同様の挟圧力増強手段を設けた上記の第３の参考的な構成になっているものであり、
また、同様のパチンコ台島装置５００において、
上記の第５の参考的な構成と同様の挟圧力増強手段を設けた第６の参考的な構成になっているものである。
【００８４】
そして、これらの第２の参考例における第１の参考的な構成・第３の参考的な構成・第５の参考的な構成・第６の参考的な構成によれば、搬送路２０が複数の曲折をもつ蛇行状に曲折されているので、上記の第１の参考例で述べた挟圧力の増強と同様の挟圧力の増強を、複数の曲折分だけ倍加した挟圧力の増強が行える構成になっている。
【００８５】
〔第１実施例〕
以下、図３・図１２・図１４・図１８によって第１実施例を説明する。この第１実施例の構成が、上記の第１の参考例・第２の参考例の構成と異なる箇所は、図３の〔同長対向ベルト構成〕のように、対向ベルト搬送機構４２の各プーリ間のスパン、すなわち、プーリ４３Ａ・４４ＡのスパンＬ１１と、プーリ４３Ｂ・４４ＢのスパンＬ１２とが、ほぼ同一のものを、所定方向Ｔにおいて相対的にずらせるとともに、一方のプーリ４３Ａ・４４Ａと他方のプーリ４３Ｂ・４４Ｂとを所定方向Ｔに対して交差する方向Ｕ・Ｖに相対的に偏移させることにより、搬送路２００を曲折した搬送路に形成するように構成した箇所である。
【００８６】
具体的には、図３の〔同長対向ベルト構成〕において、例えば、プーリ４３Ｂ・４４Ｂと平ベルト４５Ｂとによるベルト機構４５Ｓの位置を、プーリ４３Ａ・４４Ａと平ベルト４５Ａとによるベルト機構４５Ｒの位置に対して、所定方向Ｔの搬送の下流側に相当する方向に、例えば、プーリ４４Ｂの外径程度の距離だけずらせることによって、一方の平ベルト４５Ａのプーリ４３Ａ・・４４Ａと、他方の平ベルト４５Ｂのプーリ４３Ｂ・４４Ｂとを所定方向Ｔにおいて、相対的に、ずらせるとともに、例えば、プーリ４４Ａを方向Ｕの方に、例えば、プーリ４４Ｂの直径の１／４程度だけ偏移させてプーリ４４Ｂの方に入り込ませるか、または、プーリ４４Ｂを方向Ｖの方に、例えば、プーリ４４Ｂの直径の１／４程度だけ偏移させてプーリ４４Ａの方に入り込ませ、さらに、プーリ４３Ａを方向Ｕの方に、例えば、プーリ４３Ｂの直径の１／４程度だけ偏移させてプーリ４３Ｂの方に入り込ませるか、または、プーリ４３Ｂを方向Ｖの方に、例えば、プーリ４３Ｂの直径の１／４程度だけ偏移させてプーリ４３Ａの方に入り込ませることによって、一方のプーリ４３Ａ・４４Ａと他方のプーリ４３Ｂ・４４Ｂとを所定方向Ｔと交差する方向Ｕ・Ｖに相対的に偏移させて配置するように構成したものである。
【００８７】
したがって、搬送路２００の入口付近では、プーリ４３Ａとプーリ４３Ｂとが斜めに対向する箇所において搬送路２００が逆「への字状」に曲折され、また、搬送路２００の出口付近では、プーリ４４Ａとプーリ４４Ｂとが斜めに対向する箇所において搬送路２００が「への字状」に曲折された搬送路を形成するように構成していることになる。なお、これらの曲折させた部分の入口側・出口側における薄片１００、例えば、紙幣などの搬送を行い易いように、必要に応じて、案内片２５１・２５２のように、入口側・出口側の平ベルト４５Ａ・４５Ｂの曲面に沿った曲面をもつ案内片を設けて構成する。
【００８８】
そして、上記の第１実施例の構成は、
薄片１００、例えば、紙幣を対向する２つの平ベルト４５Ａ・４５Ｂの間に挟んで搬送する対向ベルト搬送機構４２により上記の薄片１００を所定の搬送方向Ｔに搬送する搬送路２００を設けるとともに、この搬送路２００を曲折させて上記の搬送を行うようにした薄片搬送装置３００において、
上記の２つの平ベルト４５Ａ・４５Ｂの途中箇所に曲折用ローラ、例えば、２０１・２０５・２０５Ａのいずれかを設けることなく、一方の上記の平ベルト、例えば、平ベルト４５Ａのプーリ、すなわち、一方側プーリ４３Ａ・４４Ａと、他方の上記の平ベルト、例えば、平ベルト４５Ｂのプーリ、すなわち、他方側プーリ４３Ｂ・４４Ｂとを、上記の搬送方向Ｔにおいて相対的にずらせるとともに、上記の一方側プーリ４３Ａ・４４Ａと上記の他方側プーリ４３Ｂ・４４Ｂとを上記の搬送方向Ｔと交差する方向Ｕ・Ｖに相対的に偏移させるのみで、上記の搬送路２００を曲折させることにより、上記の薄片１００に対する上記の平ベルト４５Ａ・４５Ｂの挟圧力を増強する挟圧力増強手段
を設けた構成、すなわち、この発明の第１の構成を構成していることになるものである。
【００８９】
さらに、この第１実施例による薄片搬送装置３００を設けたパチンコ台島装置５００の構成は、そのパチンコ台島装置５００において、この発明の第１の構成と同様の挟圧力増強手段を設けた構成、すなわち、この発明の第６の構成を構成していることになるものである。
【００９０】
したがって、これらの第１実施例による構成、すなわち、この発明の第１の構成・第６の構成によれば、搬送路２０における入口側と出口側との２箇所が曲折されているため、薄片１００に対する平ベルト４５Ａ・４５Ｂの挟圧力の増強が得られるので、上記の搬送停滞事故を防止することができるとともに、図３の〔同長対向ベルト構成〕から明らかなように、図１・図２の構成に比べて、平ベルト４５Ａ・４５Ｂの途中箇所に曲折用ローラ、例えば、２０１・２０５・２０５Ａなどが無いので、装置を簡便安価な構成にして提供することができる。
【００９１】
〔第２実施例〕
以下、図３・図１２・図１４・図１８によって第２実施例を説明する。この第２実施例の構成が、上記の第１実施例の構成と異なる箇所は、図３の〔異長対向ベルト構成〕のように、対向ベルト搬送機構４２の一方のベルト機構４５ＲのスパンＬ１１と、他方のベルト機構４５ＳのスパンＬ１２とを異なる長さにしたものを用いて、一方のプーリ４３Ａ・４４Ａと他方のプーリ４３Ｂ・４４Ｂとを、所定方向Ｔにおいて相対的にずらせるとともに、所定方向Ｔに対して交差する方向Ｕ・Ｖに相対的に偏移させることにより、搬送路２００を曲折した搬送路に形成するように構成した箇所である。
【００９２】
具体的には、図３の〔異長対向ベルト構成〕において、例えば、ベルト機構４５Ｓのプーリ４３Ｂ・４４Ｂの位置を、ベルト機構４５Ｒのプーリ４３Ａ・４４Ａの両方の外側に、所定方向Ｔにおいて、例えば、プーリ４４Ｂの外径程度の距離だけ、相対的に、ずらせるとともに、例えば、プーリ４３Ａ・４４Ａを方向Ｕの方に、例えば、プーリ４４Ｂの直径の１／４程度だけ偏移させてプーリ４３Ｂ・４４Ｂの方に入り込ませるか、または、プーリ４３Ｂ・４４Ｂを方向Ｖの方に、例えば、プーリ４４Ｂの直径の１／４程度だけ偏移させてプーリ４３Ａ・４４Ａの方に入り込ませることによって、一方のプーリ４３Ａ・４４Ａと他方のプーリ４３Ｂ・４４Ｂとを所定方向Ｔと交差する方向Ｕ・Ｖに相対的に偏移させて配置するように構成したものである。
【００９３】
したがって、搬送路２００の入口付近と出口付近との２箇所に、「への字状」に曲折させた搬送路を形成するように構成していることになる。なお、これらの曲折させた部分の入口側・出口側における薄片１００、例えば、紙幣などの搬送を行い易いように、必要に応じて、上記の第１実施例と同様の案内片２５１・２５２を設けるように構成する。
【００９４】
そして、この第２実施例の構成は、上記の第１実施例の構成と同様に、この発明の第１の構成を構成しており、さらに、この第２実施例による薄片搬送装置３００を設けたパチンコ台島装置５００の構成は、そのパチンコ台島装置５００において、この発明の第１の構成と同様の挟圧力増強手段を設けた構成、すなわち、この発明の第６の構成を構成していることになるものである。
【００９５】
したがって、これらの第２実施例による構成、すなわち、この発明の第１の構成・第６の構成によれば、上記の第１実施例の構成と同様に、搬送路２０における入口側と出口側との２箇所が曲折されているため、上記の第１実施例の場合と同様に、搬送停滞事故の防止を行えるとともに、装置を簡便安価な構成にして提供することができる。
【００９６】
〔第３実施例〕
以下、図４・図１２・図１４・図１８によって第３実施例を説明する。この第３実施例の構成が、上記の第１の参考例の構成と異なる箇所は、図４のように、曲折用ローラ２０１に代えて、ローラの中腹部分を膨らませた形状の曲折用ローラ２０５を設けることにより、搬送路２００の幅の中腹部分をも曲折させて形成するように構成した箇所である。
【００９７】
具体的には、図４において、プーリ４３Ａ・４３Ｂの箇所、または、プーリ４３Ｂ・４４Ｂの箇所では、プーリ４３Ａ・４３Ｂの箇所を例にすると、例えば、〔チ−チ断面〕のように、平ベルト４５Ａと平ベルト４５Ｂとが対向する箇所が直線状の平行面を形成しているが、曲折用ローラ２０５の部分では、曲折用ローラ２０５の中腹部分に設けた膨らみ部分２０５ａによって、〔平面〕でみると、平ベルト４５Ａ・４５Ｂの幅の中腹部分を第１の参考例の場合と同様に曲折させるとともに、垂直面でみると〔リ−リ断面〕のように、曲折用ローラ２０５の膨らみ部分２０５ａによって平ベルト４５Ａ・４５Ｂの幅の中腹部分で曲げられた逆「くの字状」に曲折させることにより、搬送路２００を水平面・垂直面の両面で曲折させた搬送路を形成するように構成しているものである。
なお、後記の〔変形実施〕（１１）の構成によれば、図１の〔蛇行状曲折構成〕の曲折用ローラ２０２・２０３に代えて、図４の曲折用ローラ２０５または曲折用ローラ２０５Ａを配置することになるので、この場合には、上記の逆「くの字状」が、当然、「くの字状」になるわけであり、この発明では、これらの逆「くの字状」と「くの字状」とを総称して「くの字状」という。
【００９８】
また、〔リ−リ断面〕では、同図の形状から明らかなように、平ベルト４５Ａ・４５Ｂの幅Ｂ１に対して曲折用ローラ２０５の幅Ｂ２を、平ベルト４５Ａ・４５Ｂの幅Ｂ１の１／２程度の小さい幅にしてあるが、〔長ローラ〕の曲折用ローラ２０５Ａのように、曲折用ローラ２０５Ａの幅Ｂ３を平ベルト４５Ａ・４５Ｂの幅Ｂ１と同程度の幅または平ベルト４５Ａ・４５Ｂの幅Ｂ１よりも大きい幅にしても、同図の形状から明らかなように、外周面が円錐台形状を背中合わせにした頂部を膨らみ部分２０５ａとしているので、上記の曲折と同様の曲折を行えることは言うまでもない。
【００９９】
そして、この第３実施例による薄片搬送装置３００を設けたパチンコ台島装置５００の構成は、薄片１００、例えば、紙幣を対向する２つの平ベルト４５Ａ・４５Ｂの間に挟んで搬送する対向ベルト搬送機構４２により上記の薄片１００を所定の搬送方向Ｔに搬送する搬送路２００を設けるとともに、この搬送路２００を曲折させて上記の搬送を行うようにした薄片搬送装置３００を設けたパチンコ台島装置５００において、
上記の平ベルト４５Ａ・４５Ｂの幅Ｂ１の１／２程度に小さい幅Ｂ２をもち外周面に膨らみ部分２０５ａをもつ曲折用ローラ２０５、もしくは、上記の平ベルト４５Ａ・４５Ｂの幅Ｂ１と同程度の幅または上記の平ベルトの幅Ｂ１よりも大きい幅Ｂ３をもち外周面が円錐台形状を背中合わせにした頂部を膨らみ部分２０５ａとした曲折用ローラ２０５Ａを、上記の平ベルト４５Ａ・４５Ｂの途中に配置するとともに、上記の曲折用ローラ２０５または２０５Ａを搬送方向Ｔと交差する方向に変移させることにより、上記の平ベルト４５Ａ・４５Ｂの幅Ｂ１の中央部分を上記の膨らみ部分２０５ａとして「くの字状」に曲折させるとともに、上記の搬送路２００の曲折を行わせることにより、上記の薄片１００に対する上記の平ベルト４５Ａ・４５Ｂの挟圧力を増強する挟圧力増強手段
を設けた構成、すなわち、この発明の第４の構成を構成していることになるものである。
【０１００】
また、この第３実施例による薄片搬送装置３００を上記の図１の〔蛇行状曲折構成〕に対応させた構成を、パチンコ台島装置５００に設けた構成では、
パチンコ台島装置５００において、上記の曲折用ローラ２０５または２０５Ａを上記の平ベルト４５Ａ・４５Ｂの両側に交互に配置することによって、上記の搬送路２００を蛇行状に曲折させた構成、すなわち、この発明の第５の構成を構成していることになるものである。
【０１０１】
したがって、この第３実施例による構成、すなわち、この発明の第４の構成・第５の構成によれば、上記の第１の参考例の場合と同様の挟圧力の増強に加えて、垂直面での曲折による挟圧力の増強が行えるので、上記の搬送停滞事故を防止することができる。
【０１０２】
〔第４実施例〕
以下、図３・図５・図２０によって第４実施例を説明する。この第４実施例の構成が、上記の第１実施例の構成と異なる箇所は、図５のように、図３の〔同長対向ベルト構成〕の構成におけるベルト機構４５Ｒとベルト機構４５Ｓとを所定方向Ｔにおいて相対的にずらせる部分を、ずらせる量を大きくして、ベルト機構４５Ｒとベルト機構４５Ｓとが、それぞれ、搬送路２００の中間部分まで、ずれた状態にして、第３従来技術の図２０の構成に適用し得るように構成した箇所である。
【０１０３】
そして、同一側に配置されたベルト機構４５Ｒの終端と、これに隣接するベルト機構４５Ｒの始端との間に副搬送路Ｓを配置するとともに、同様にして、同一側に配置されたベルト機構４５Ｓの終端と、これに隣接するベルト機構４５Ｓの始端との間に副搬送路Ｓを配置するように構成することになる。
【０１０４】
したがって、この第４実施例の構成では、第１実施例の構成の場合に比べて、搬送路２００の曲折が曲率の少ないものになり、第１の参考例における曲折用ローラ２０１を所定方向Ｔにおいて２つ並べたような搬送路２００の曲折を行わせていることになるものである。
【０１０５】
そして、この第４実施例の構成は、上記の第１実施例の場合と同様に、この発明の第１の構成を構成しており、また、この第１の構成において、上記の対向ベルト搬送機構４２を上記の搬送方向Ｔに沿って複数設けるとともに、上記の偏移の方向を交互に反対方向にすることによって、上記の搬送路２００を蛇行状に曲折させた構成、すなわち、この発明の第２の構成を構成していることになるものである。
さらに、この第４実施例の構成による薄片搬送装置３００を設けたパチンコ台島装置５００の構成は、上記の第１実施例の場合と同様に、この発明の第６の構成を構成しており、また、この第６の構成において、上記の対向ベルト搬送機構を上記の搬送方向に沿って複数設けるとともに、上記の偏移の方向を交互に反対方向にすることによって、上記の搬送路を蛇行状に曲折させた構成、すなわち、この発明の第７の構成を構成していることになるものである。
【０１０６】
したがって、この第４実施例による構成、すなわち、この発明の第１の構成・第２の構成・第６の構成・第７の構成によれば、上記の第１実施例で述べた挟圧力の増強と同様の挟圧力の増強が得られので、上記の搬送停滞事故を防止することができる。
【０１０７】
〔第５実施例〕
以下、図２・図６によって第５実施例を説明する。この第５実施例の構成が、上記の第１の参考例の構成と異なる箇所は、第１の参考例の第１の参考的な構成に加えて、図６のように、曲折用ローラ２０１の軸２０１Ａ・２０１Ｂを覆うとともに、薄片１００、例えば、紙幣などを案内するための案内片２５５を設けて構成した箇所である。
【０１０８】
つまり、具体的には、図６において、案内片２５５は、例えば、アルミニウム材または合成樹脂材によって構成したものであって、例えば、上端と下端とに設けた取付具（図示せず）により、中継搬送ユニット４の上下のフレーム４１に固定したものであり、中央部分に設けた貫通穴２５５Ａに曲折用ローラ２０１の平ベルト４５Ａと接している箇所をくぐらせることによって、軸２０１Ａ・２０１Ｂの部分が搬送路２００の手前側で覆われるようにするとともに、所定方向Ｔと反対方向に延長した部分２５５Ｂを搬送路２００の外側に向けて湾曲させた形状に形成したものである。
【０１０９】
そして、この第５実施例の構成は、薄片１００、例えば、紙幣を対向する２つの平ベルト４５Ａ・４５Ｂの間に挟んで搬送する対向ベルト搬送機構４２により上記の薄片１００を所定の搬送方向Ｔに搬送する搬送路２００とともに、この搬送路２００を曲折させるための曲折用ローラ、例えば、曲折用ローラ２０１を設けるようにした薄片搬送装置３００において、
上記のローラの軸、例えば、ローラ２０１の軸２０１Ａ・２０１Ｂを上記の搬送路２００の手前側で覆うとともに上記の所定方向Ｔと反対方向に延長した部分２５５Ｂを上記の搬送路２００の外側に向けて湾曲させた案内片２５５によって上記の薄片１００、例えば、紙幣などを案内することにより、少なくとも上記の薄片１００の上下部分が上記の軸２０１Ａ・２０１Ｂに引っ掛かることを防止する引掛防止手段を設けた構成、すなわち、この発明の第３の構成を構成を構成していることになるものである。
【０１１０】
さらに、この第５実施例による薄片搬送装置３００を設けたパチンコ台島装置５００の構成は、そのパチンコ台島装置５００において、この発明の第３の構成と同様の引掛防止手段を設けた構成、すなわち、この発明の第８の構成を構成していることになるものである。
【０１１１】
したがって、この第５実施例の構成、すなわち、この発明の第３の構成・第８の構成によれば、上記の第１の参考例による挟圧力の増強による上記の搬送停滞事故の防止が行えるほか、薄片１００、例えば、紙幣などに、先端側の上隅角または下角隅に軸２０１Ａ・２０１Ｂの方に折れ曲がった箇所１００Ｃがあるものが搬送されてきたときでも、折れ曲がった箇所１００Ｃを案内片２５５が平ベルト４５Ａの側に入れ込むように案内するため、少なくとも薄片１００の上下部分が軸２０１Ａ・２０１Ｂに引っ掛かるこを防止し得るので、薄片１００を破損したり、または、薄片１００をぐしゃぐしゃに折り畳んで、搬送停滞事故を招くことを未然に防止できる。
【０１１２】
〔第６実施例〕
以下、図１・図６によって第６実施例を説明する。この第６実施例の構成が、上記の第５実施例の構成と異なる箇所は、第５実施例における第１の参考例の第１の参考的な構成による薄片搬送装置３００の構成部分に代えて、図１の〔蛇行状曲折構成〕による第２の参考的な構成の薄片搬送装置３００の構成を用いて構成した箇所である。
【０１１３】
つまり、具体的には、図１の〔蛇行状曲折構成〕において、各曲折用ローラ２０１・２０２・２０３の軸（図示せず）の箇所に、図６の案内片２５５と同様の案内片（図示せず）を設けて構成したものである。
【０１１４】
そして、この第６実施例の構成は、上記の第５実施例と同様に、この発明の第３の構成を構成していることになるものであり、さらに、この第６実施例による薄片搬送装置３００を設けたパチンコ台島装置５００の構成は、そのパチンコ台島装置５００において、この発明の第３の構成と同様の引掛防止手段を設けた構成、すなわち、この発明の第８の構成を構成していることになるものである。
【０１１５】
したがって、この第６実施例の構成、すなわち、この発明の第３の構成・第８の構成によれば、上記の第５実施例の場合と同様に、挟圧力の増強による搬送停滞事故の防止でき、また、薄片１００、例えば、紙幣などの引っ掛かりによる破損や、薄片１００の折り畳みによる搬送停滞事故を未然に防止できる。
【０１１６】
〔変形実施〕
この発明は次のように変形して実施することを含むものである。
（１）図１の〔単曲折構成〕による第１の参考例の構成において、曲折用ローラ２０１を、搬送路２００の中間ではなく、左右にずらせた位置に設けて構成する。
（２）図１の〔単曲折構成〕による第１の参考例の構成において、曲折用ローラ２０１を、平ベルト４５の往き側４５Ａ１の側に設けずに、平ベルト４５Ｂの往き側４５Ｂ１の側に設けて構成する。
【０１１７】
（３）図１の〔単曲折構成〕による第１の参考例の構成、または、上記（１）（２）の構成において、曲折用ローラ２０１の箇所の曲折用ローラを複数にするとともに、その複数を同一側を並べた配置にして構成する。
（４）図１の〔蛇行状曲折構成〕による第２の参考例の構成において、曲折用ローラ２０１・２０３・２０４の配置間隔を、不等間隔にして構成する。
（５）図１の〔蛇行状曲折構成〕による第２の参考例の構成、または、上記（４）の構成において、曲折用ローラ２０１・２０３・２０４に代えて、２つの曲折用ローラを図４の第３実施例における曲折用ローラ２０５を配置して構成する。
【０１１８】
（６）図１の〔蛇行状曲折構成〕による第２の参考例の構成、または、上記（４）（５）の構成において、曲折用ローラ２０１・２０３・２０４に代えて、２つの曲折用ローラを交互に配置して構成するか、または、３つ以上の曲折用ローラを交互に配置して構成する。
（７）図１の〔蛇行状曲折構成〕による第２の参考例の構成、また、上記（４）（５）（６）の構成において、それぞれの折用ローラの箇所を複数の曲折用ローラにするとともに、その複数をその箇所に並べた配置にして構成する。
【０１１９】
（８）図４の〔単曲折構成〕による第３実施例の構成において、曲折用ローラ２０５または曲折用ローラ２０５Ａを、搬送路２００の中間ではなく、左右にずらせた位置に設けて構成する。
（９）図４の〔単曲折構成〕による第３実施例の構成において、曲折用ローラ２０５または曲折用ローラ２０５Ａを、平ベルト４５の往き側４５Ａ１の側に設けずに、平ベルト４５Ｂの往き側４５Ｂ１の側に設けて構成する。
【０１２０】
（１０）図４の〔単曲折構成〕による第３実施例の構成、または、上記（８）（９）の構成において、曲折用ローラ２０５または曲折用ローラ２０５Ａの箇所の曲折用ローラを複数にするとともに、その複数を同一側を並べた配置にして構成する。
（１１）上記（１）〜（７）の各構成における各曲折用ローラに代えて、図４の〔単曲折構成〕による第３実施例の曲折用ローラ２０５または曲折用ローラ２０５Ａを用いて構成する。
【０１２１】
（１２）図１の〔単曲折構成〕による第１の参考例の構成、図１の〔蛇行状曲折構成〕による第２の参考例の構成、図３の〔同長対向ベルト構成〕による第１実施例の構成、図３の〔異長対向ベルト構成〕による第２実施例の構成、図４の〔単曲折構成〕による第３実施例の構成、上記（１）〜（１１）の構成のうちのいずれか１つの構成を、図１２・図１３・図１７・図２０・図２１の構成、または、これらに関連する上記の各従来技術で述べた各変形構成のうちの１つの構成による薄片搬送装置３００またはパチンコ台島装置５００における副搬送路Ｓの部分に適用して構成する。
【０１２２】
（１３）図１の〔単曲折構成〕による第１の参考例の構成、または、これに関連する上記の各変形構成を、図１３・図１７の構成または上記の各従来技術で述べた各変形構成による薄片搬送装置３００またはパチンコ台島装置５００に適用して構成する。
（１４）図１の〔蛇行状曲折構成〕による第２の参考例の構成、または、これに関連する上記の各変形構成を、図１３・図１７の構成または上記の各従来技術で述べた各変形構成による薄片搬送装置３００またはパチンコ台島装置５００に適用して構成する。
【０１２３】
（１５）図３の〔同長対向ベルト構成〕による第１実施例の構成において、ベルト機構４５Ｒとベルト機構４５Ｓとの相対的なずらせ方を、ベルト機構４５Ｒを下流側にして、ベルト機構４５Ｓを上流側にするように配置して構成する。
（１６）図３の〔同長対向ベルト構成〕による第１実施例の構成、または、上記（１５）の構成を、図１３・図１７の構成または上記の各従来技術で述べた各変形構成による薄片搬送装置３００またはパチンコ台島装置５００に適用して構成する。
【０１２４】
（１７）図３の〔異長対向ベルト構成〕による第２実施例の構成を、図１３・図１７の構成または上記の各従来技術で述べた各変形構成による薄片搬送装置３００またはパチンコ台島装置５００に適用して構成する。
（１８）図４の〔単曲折構成〕による第３実施例の構成、または、これに関連する上記の各変形構成を、図１３・図１７の構成または上記の各従来技術で述べた各変形構成による薄片搬送装置３００またはパチンコ台島装置５００に適用して構成する。
【０１２５】
（１９）図５の第４実施例による構成を、図２１の構成または上記の第３従来技術で述べた各変形構成による薄片搬送装置３００またはパチンコ台島装置５００に適用して構成する。
（２０）上記の各実施例と上記（１）〜（１９）の構成において、各平ベルトと各プーリとのうちの所要のものまたは全てを、歯形付きの平ベルトとプーリ、すなわち、タイミングベルトとタイミングベルト用プーリとを用いて構成する。
【０１２６】
【発明の効果】
この発明の第１の構成・第２の構成・第６の構成・第７の構成によれば、平ベルトの途中箇所に曲折用ローラを設けることなく、平ベルトのプーリを、搬送方向に相対的にずらせるとともに、搬送方向と交差する方向に相対的に偏移させるのみで、搬送路を曲折させて、薄片に対するベルトの挟圧力を増強し得るように構成しているので、曲折用ローラを不要にして、搬送の停滞を十分に防止し得るようにした薄片搬送装置とパチンコ台島装置とを簡便安価な構成にして提供できるという効果が得られる。
また、この発明の第４の構成・第５の構成によれば、平ベルトの幅の１／２程度に小さい幅で膨らみ部分をもつ曲折用ローラ、もしくは、平ベルトの幅と同程度の幅または平ベルトの幅よりも大きい幅をもち外周面が円錐台形状を背中合わせにした頂部を膨らみ部分とした曲折用ローラを平ベルトの途中箇所に設けるとともに、この曲折用ローラを搬送方向と交差する方向に変移させて、平ベルトの幅の中央部分で曲げられた「くの字状」に曲折させた搬送路を形成し、薄片に対する挟圧力を増強し得るように構成しているので、従来のものよりも強い挟圧力を得るようにして、搬送の停滞を十分に防止し得るようにした薄片搬送装置とパチンコ台島装置とを提供できるという効果が得られる。
さらに、この発明の第３の構成・第８の構成によれば、搬送方向と交差する方向に偏移させて搬送路を曲折するための曲折用ローラの軸を搬送路の手前側で覆うとともに、搬送方向と反対方向に延長した部分を搬送路の外側に向けて湾曲させた案内片によって薄片を案内する構成を設けているので、先端側の隅角に折れ曲がった箇所のある薄片が搬送されてきたときでも、案内片が折れ曲がった箇所を平ベルト側に入れ込ませて、曲折用ローラの軸に引っ掛かることを防止し、薄片の破損や搬送停滞事故を未然に防止し得るようにした薄片搬送装置とパチンコ台島装置とを提供できるという効果が得られるなどの特長がある。
【図面の簡単な説明】
図面中、図３〜図６はこの発明の実施例を、また、図１・図２は参考例を、さらに、図７〜図２１は従来技術を示し、各図の内容は次のとおりである。
【図１】要部構成平面図
【図２】要部構成斜視図
【図３】要部構成平面図
【図４】要部構成平面・縦断面図
【図５】要部構成平面図
【図６】要部構成斜視・平面図
【図７】全体構成側面・横断面図
【図８】要部構成横断面図
【図９】要部構成縦断面図
【図１０】要部構成横断面・縦断面図
【図１１】要部構成正面図
【図１２】全体構成横断面図
【図１３】要部構成横断面図
【図１４】要部構成正面図
【図１５】要部構成斜視図
【図１６】要部構成縦断面図
【図１７】要部構成横断面図
【図１８】要部構成分解斜視図
【図１９】ブロック構成概念図
【図２０】要部構成横断面図
【図２１】要部構成横断面図
【符号の説明】
２  合流搬送ユニット
２Ａ  保護覆
２Ｂ  案内板
２Ｓ１  前側合流ユニット
２Ｓ２  後側合流ユニット
２ａ  受棚
２ａ１  ねじ
２ｂ  受棚
２ｂ１  ねじ
４  中継搬送ユニット
４Ａ  保護覆
７  取込搬送部分
８  案内導管
９  盗難防止用覆
２３  案内壁
２３Ａ  案内壁
２３Ａ１  案内板
２３Ａ２  案内板
２３Ｂ  案内壁
２３Ｂ１  案内板
２３Ｂ２  案内板
２３Ｘ  案内壁
２３Ｘ１  案内板
２３Ｘ２  案内板
２３Ｙ  案内壁
２３Ｙ１  案内板
２３Ｙ２  案内板
２４Ａ  ローラ
２４Ｂ  ローラ
２５Ａ  ローラ
２５Ｘ１  ローラ
２５Ｘ２  ローラ
２５Ｘ３  ローラ
２５Ｘ４  ローラ
２６  駆動モータ
２６Ａ  歯車機構
２６Ｘ１  ローラ
２６Ｘ２  ローラ
２７Ｃ  手動用つまみ
２９Ｄ  歯車
３０  突起
３１Ａ  プーリ
３１ａ  軸
３２  取付脚
３２Ａ  ねじ
３５Ａ  掛爪
３５Ｂ  掛爪
４１  フレーム
４２  対向ベルト搬送機構
４２Ａ  対向ベルト搬送機構
４３Ａ  プーリ
４３Ｂ  プーリ
４４Ａ  プーリ
４４Ｂ  プーリ
４４ａ  プーリ
４４ｂ  プーリ
４５Ａ  平ベルト
４５Ａ１  往き側
４５Ａ２  戻り側
４５Ｂ  平ベルト
４５Ｂ１  往き側
４５Ｂ２  戻り側
４５Ｒ  ベルト機構
４５Ｓ  ベルト機構
４５Ｘ  丸ベルト
４６  歯車
４６ａ  歯車
４６ｂ  歯車
４７  穴
４７Ａ  張出部分
４８  覆用部材
４９  取付部分
５３  球
５４  掛止部分
５５  凹穴
５６  突出部分
５７  突出部分
５９Ａ  案内板
５９Ｂ  案内板
７１Ａ  ローラ
７１Ｂ  ローラ
７１ａ  軸
７１ｂ  軸
７２Ａ  平ベルト
７３  ばね
８１  上下部分
８２  差込爪
８３  掛止爪
９１  鍵
９２  掛爪
９４  垂直板部分
９５  張出部分
９８  張出部分
９９  検出器
１００  薄片
１００Ｃ  折れ曲がり箇所
１１０  収納箱
２００  搬送路
２０１  曲折用ローラ
２０１Ａ  軸
２０１Ｂ  軸
２０１Ｃ  ばね
２０１Ｄ  ばね
２０２  曲折用ローラ
２０３  曲折用ローラ
２０５  曲折用ローラ
２０５Ａ  曲折用ローラ
２０５ａ  膨らみ部分
２５１  案内片
２５２  案内片
２５５  案内片
２５５Ａ  貫通穴
２５５Ｂ  延長部分
３００Ａ  主搬送路部分
３００Ｂ  分割ユニット
５００  パチンコ台島装置
Ｂ  パチンコ台
Ｂ１  パチンコ台列
Ｂ２  パチンコ台列
Ｃ  導入搬送部
Ｃ１  紙幣入口
Ｃ１ａ  プーリ
Ｃ１ｂ  プーリ
Ｃ２  紙幣導出口
Ｃ２ａ  プーリ
Ｃ２ｂ  プーリ
Ｃ３  保護覆
Ｃ３ａ  平ベルト
Ｃ３ｂ  平ベルト
Ｄ  他用空間部分
Ｌ１  距離
Ｌ２  長さ
Ｌ３  長さ
Ｌ５  長さ
Ｌ１１  スパン
Ｌ１２  スパン
Ｍ  主搬送路
Ｓ  副搬送路
Ｔ  所定方向
Ｕ  交差方向
Ｖ  交差方向
Ｗ  幅
θ  合流角度
【図１】
0003553777.tif 000002
【図２】
0003553777.tif 000003
【図３】
0003553777.tif 000004
【図４】
0003553777.tif 000005
【図５】
0003553777.tif 000006
【図６】
0003553777.tif 000007
【図７】
0003553777.tif 000008
【図８】
0003553777.tif 000009
【図９】
0003553777.tif 000010
【図１０】
0003553777.tif 000011
【図１１】
0003553777.tif 000012
【図１２】
0003553777.tif 000013
【図１３】
0003553777.tif 000014
【図１４】
0003553777.tif 000015
【図１５】
0003553777.tif 000016
【図１６】
0003553777.tif 000017
【図１７】
0003553777.tif 000018
【図１８】
0003553777.tif 000019
【図１９】
0003553777.tif 000020
【図２０】
0003553777.tif 000021
【図２１】
0003553777.tif 000022